(57)【要約】【課題】  廃棄物焼却装置において、消費電力の削減を実現するとともに、比較的安価な方法で焼却炉内圧力を適切に制御する。【解決手段】  廃棄物焼却装置は、焼却炉と、焼却炉の煙道の下流側に設けられた誘引ファンと、誘引ファンの回転数を制御するインバータと、煙道に配置されたダンパと、ダンパの開度を制御するダンパ制御器とを備え、インバータを用いて誘引ファンの回転数を制御することによって焼却炉の炉内圧力を調整するように構成されており、所定の最大減速率を超える減速率で誘引ファンの回転数を低下させる回転数指令が要求されたとき、所定の最大減速率を超えないようにインバータを駆動するとともに、要求された回転数指令に基づいて算出された変動量でダンパの開度の制御を行う。【選択図】図３
2019211135.tif 000002
【特許請求の範囲】
【請求項１】
焼却炉と、前記焼却炉の煙道の下流側に設けられた誘引ファンと、前記誘引ファンの回転数を制御するインバータと、前記煙道に配置されたダンパと、前記ダンパの開度を制御するダンパ制御器とを備え、前記インバータを用いて前記誘引ファンの回転数を制御することによって前記焼却炉の炉内圧力を調整するように構成された廃棄物焼却装置であって、
所定の最大減速率を超える減速率で前記誘引ファンの回転数を低下させる回転数指令が要求されたとき、前記所定の最大減速率を超えないように前記インバータを駆動するとともに、前記要求された回転数指令に基づいて算出された変動量で前記ダンパの開度の制御を行う、廃棄物焼却装置。
【請求項２】
前記インバータと前記ダンパ制御器とに接続された制御システムを備え、前記制御システムは、
前記誘引ファンの回転数を所定の最大減速率を超える減速率で低下させることが要求されたか否かを判定する減速率判定回路と、
前記最大減速率を超える減速率で低下させることが要求されたと判定されたときに、前記誘引ファンの回転数を前記最大減速率で低下させる指令に補正して前記インバータに出力する回転数指令補正回路と、
補正前の回転数指令と、前記回転数指令補正回路が生成する補正後の回転数指令との差分をダンパの開度に換算して前記ダンパ制御器に出力する差分換算回路と
を有する、請求項１に記載の廃棄物焼却装置。
【請求項３】
前記差分換算回路からの出力に基づいて前記ダンパ制御器によって前記ダンパの開度が制御された後、前記誘引ファンの回転数を所定の最大減速率を超える減速率で低下させることが要求されない状態に戻ったときには、前記ダンパの開度を設定された開度に戻すように構成されている、請求項２に記載の廃棄物焼却装置。
【請求項４】
焼却炉と、前記焼却炉の煙道の下流側に設けられた誘引ファンと、前記誘引ファンの回転数を制御するインバータと、前記煙道に配置されたダンパと、前記ダンパの開度を制御するダンパ制御器とを備える廃棄物焼却装置において用いられる焼却炉内圧力制御方法であって、
前記誘引ファンの回転数を制御するための回転数指令を生成するステップと、
前記生成された回転数指令が、所定の最大減速率を超える減速率で前記誘引ファンの回転数を低下させる回転数指令であったか否かを判断するステップと、
前記所定の最大減速率を超える減速率を超える回転数指令であると判断された場合において、前記所定の最大減速率を超えないように補正した回転数指令によって前記インバータを駆動するステップと、
前記補正した回転数指令によって前記インバータを駆動すると同時に、前記生成された回転数指令と前記補正した回転数指令との差分に対応する変動量で前記ダンパの開度の制御するステップと
を包含する、焼却炉内圧力制御方法。
【発明の詳細な説明】
【技術分野】
【０００１】
本発明は、廃棄物焼却装置および焼却炉内圧力制御方法に関し、特に、排気ガスを誘引する誘引ファンを備える廃棄物焼却装置において焼却炉内の圧力を制御する技術に関する。
【背景技術】
【０００２】
ごみ処理施設等に設置された廃棄物焼却装置は、焼却炉に加えて、燃焼用空気を送風するための押込送風機、燃焼炉からの排ガスを処理するための排ガス処理装置、および、排ガス処理装置の上流もしくは下流側の煙道に配置された誘引ファン（誘引通風機）などを備えている（例えば、特許文献１）。誘引ファンによって誘引された排気ガスは、煙突を通して外部へと排出される。
【０００３】
廃棄物焼却装置の作動中、誘引ファンによって排気ガスが所定の流量で誘引され、焼却炉内は所定の負圧に保たれる。焼却炉内の圧力は、例えば、煙道に設けた風量調整ダンパの開度を調整することによって制御することができる。特に油圧駆動式のダンパは応答性が良好であり、油圧駆動式のダンパを用いれば、焼却炉内の圧力が急激に変動するときにも所望の圧力に制御しやすい。
【０００４】
一方、焼却炉内の圧力は、例えば、誘引ファンの回転数を調整することによっても制御することができる。誘引ファン（より具体的にはファンを回転させる電動機）の回転数は、例えば、可変速制御（ＶＶＶＦ：Variable Voltage Variable Frequency）方式によって制御したり、流体継手などの機械式によって制御することができる。
【０００５】
ＶＶＶＦ方式では、インバータを用いて、電動機に入力する交流電圧の大きさおよび周波数を変化させることによって電動機の回転数が制御される。また、ＶＶＶＦ方式では、入力電圧の大きさと周波数とがリニアな関係に設定されることが多く、電動機の回転数を小さくするためには電圧および周波数を小さくし、電動機の回転数を大きくするためには電圧および周波数を大きくする。
【０００６】
このようにインバータ制御によって誘引ファンを可変回転数で駆動し、焼却炉内圧力を制御するようにすれば、必要とされる回転数で誘引ファンを駆動すればよいので、消費電力を削減することができる。
【先行技術文献】
【特許文献】
【０００７】
【特許文献１】特開２０００−３０４２４０号公報
【発明の概要】
【発明が解決しようとする課題】
【０００８】
近年の大型化する廃棄物焼却装置において、誘引ファンの駆動のためにインバータを用いることがある。ただし、慣性力の大きい大型ファンを所定時間内に所望の回転数まで低下させることが困難な場合がある。
【０００９】
電動機の回転数を急速に低下させるためには、制動装置や回生システムを用いて回転を抑制することが考えられる。しかし、例えば高圧インバータ制御の電動機においては、制動機構や回生システムなどのような制動機能を備えた製品は市場にほとんど存在しておらず、現状、非常に高価である。また、回生システムによる制動機能を実現するためには放電抵抗を用いる必要があり、コストの増加が見込まれる。また、小型の焼却炉では低圧インバータを用いることも多いが、この場合にも、制動機能を備えないインバータを用いることができれば、コストや設置スペースを削減できるため有利であった。
【００１０】
したがって、インバータ駆動の誘引ファンを備える廃棄物焼却装置において、低コストで焼却炉内圧力を適切に制御できる方法が求められていた。
【００１１】
本発明は、上記課題を解決するためになされたものであり、誘引ファンのインバータ駆動により省消費電力を実現しながら、比較的安価な方法で適切に焼却炉内圧力を制御することが可能な廃棄物焼却装置および焼却炉内圧力制御方法を提供することをその目的とする。
【課題を解決するための手段】
【００１２】
本発明の実施形態による廃棄物焼却装置は、焼却炉と、前記焼却炉の煙道の下流側に設けられた誘引ファンと、前記誘引ファンの回転数を制御するインバータと、前記煙道に配置されたダンパと、前記ダンパの開度を制御するダンパ制御器とを備え、前記インバータを用いて前記誘引ファンの回転数を制御することによって前記焼却炉の焼却炉内圧力を調整するように構成されており、所定の最大減速率を超える減速率で前記誘引ファンの回転数を低下させる回転数指令が要求されたとき、前記所定の最大減速率を超えないように前記インバータを駆動するとともに、前記要求された回転数指令に基づいて算出された変動量で前記ダンパの開度の制御を行う。
【００１３】
ある実施形態において、前記インバータと前記ダンパ制御器とに接続された制御回路を備え、前記制御回路は、前記誘引ファンの回転数を所定の最大減速率を超える減速率で低下させることが要求されたか否かを判定する減速率判定回路と、前記最大減速率を超える減速率で低下させることが要求されたと判定されたときに、前記誘引ファンの回転数を前記最大減速率で低下させる指令に補正して前記インバータに出力する回転数指令補正回路と、補正前の回転数指令と、前記回転数指令補正回路が生成する補正後の回転数指令との差分をダンパの開度に換算して前記ダンパ制御器に出力する差分換算回路とを有する。
【００１４】
ある実施形態において、上記の廃棄物焼却装置は、前記差分換算回路からの出力に基づいて前記ダンパ制御器によって前記ダンパの開度が制御された後、前記誘引ファンの回転数を所定の最大減速率を超える減速率で低下させることが要求されない状態に戻ったときには、前記ダンパの開度を設定された開度に戻すように構成されている。
【００１５】
本発明の実施形態による焼却炉内圧力制御方法は、焼却炉と、前記焼却炉の煙道の下流側に設けられた誘引ファンと、前記誘引ファンの回転数を制御するインバータと、前記煙道に配置されたダンパと、前記ダンパの開度を制御するダンパ制御器とを備える廃棄物焼却装置において用いられ、前記誘引ファンの回転数を制御するための回転数指令を生成するステップと、前記生成された回転数指令が、所定の最大減速率を超える減速率で前記誘引ファンの回転数を低下させる回転数指令であったか否かを判断するステップと、前記所定の最大減速率を超える減速率を超える回転数指令であると判断された場合において、前記所定の最大減速率を超えないように補正した回転数指令によって前記インバータを駆動するステップと、前記補正した回転数指令によって前記インバータを駆動すると同時に、前記生成された回転数指令と前記補正した回転数指令との差分に対応する変動量で前記ダンパの開度の制御するステップとを包含する。
【発明の効果】
【００１６】
本発明の実施形態にかかる廃棄物焼却装置によれば、ダンパを補助的に用いて誘引ファンの消費電力を低減しながら焼却炉内圧力を適切に制御することができ、例えば、ダンパ電油操作器の油量制御機構として電磁弁などの安価なものを用いることができるので、コストの削減を図ることができる。
【図面の簡単な説明】
【００１７】
【図１】比較例による廃棄物焼却装置を模式的に示す図である。
【図２】（ａ）〜（ｃ）は、図１に示す比較例の廃棄物焼却装置において適用される、焼却炉内圧力、ダンパ開度指令、および、誘引ファン回転数指令をそれぞれ示すグラフである。
【図３】本発明の実施形態による廃棄物焼却装置を模式的に示す図である。
【図４】図３に示す廃棄物焼却装置において適用される、誘引ファン回転数指令を示すグラフであり、破線のグラフは、要求された回転数指令を示し、実線のグラフは、実際に適用される補正後の回転数指令を示す。
【図５】本発明の実施形態による廃棄物焼却装置が備える制御システムを示すブロック図である。
【発明を実施するための形態】
【００１８】
まず、本発明の実施形態を説明する前に、廃棄物焼却装置における比較例の焼却炉内圧力制御方法を説明する。
【００１９】
一般に、焼却炉の下流側には風量調節を行うためのダンパが設けられており、ダンパの開度を制御することによって風量および焼却炉内圧力を調整することが可能である。ダンパの開度を大きくして風量を増加させれば焼却炉内の圧力は低下し、ダンパの開度を小さくして風量を減少させれば焼却炉内の圧力は増加する。
【００２０】
このため、焼却炉内の圧力の制御を、ダンパ開度の制御を中心に行うことが考えられる。ダンパ制御による圧力調整は、適切な開度範囲内では、応答性良く行うことができるので、焼却炉のように急激な炉圧変動が生じ得る用途においては、ダンパ制御を行うことが有効である。
【００２１】
図１は、このような方式で焼却炉内圧力の制御を行うように構成された比較例の焼却装置９００を示す図である。焼却装置９００は、焼却炉９０と、誘引ファン９２および誘引ファン９２（より具体的には電動機Ｍ）を制御するＶＶＶＦ制御のインバータ９４と、焼却炉９０と誘引ファン９２との間の煙道に設けられた油圧式ダンパ９６およびダンパ制御器９８とを備える。誘引ファン９２の下流側は煙突９９に接続されている。
【００２２】
図２（ａ）〜図２（ｃ）は、上記比較例の焼却装置９００で採用される、焼却炉内圧力、ダンパ開度指令、および、誘引ファン回転数指令のそれぞれを示すグラフである。図２（ａ）に示すように、焼却炉内圧力の設定値が一定の場合に、実際の焼却炉内圧力は、略一定になるように制御される。この場合、焼却炉内の圧力を測定するように設けられた圧力発信器の出力に基づいて、図２（ｂ）および図２（ｃ）に示すようにダンパの開度および誘引ファン９２の回転数（すなわちインバータ９４の出力）が制御され、これにより、焼却炉内圧力が設定値近傍の大きさになるように制御される。
【００２３】
ここで、焼却装置９００では、ダンパの開度の調整をメインに焼却炉内の圧力制御を行うので、図２（ｂ）に示すように、焼却炉内圧力の変動に応じて、ダンパの開度を比較的大きく変動させる指令がダンパ制御器に送られる。もちろん、焼却炉内圧力の変動が小さい場合には、ダンパの開度を大きく変動させる必要はないが、実際には、ゴミ質によってゴミ燃焼時のガス発生量が変動するため、焼却炉の焼却炉内圧力は大きく変動する。以下ではこのような大きな圧力変動が生じた場合に、その変動を補正して焼却炉内圧力を一定に保つ場合について説明する。
【００２４】
上述したように、ダンパ制御器には、ダンパの開度を比較的大きく変動させる指令（図２（ｂ）参照）が送られることがある。ここで、図２（ｂ）に示すダンパ開度指令の上限設定値および下限設定値とは、油圧式ダンパの開度調整によって焼却炉内圧力の制御を適正に行うことができる範囲を規定する値である。この適正範囲内では、ダンパ制御によって焼却炉内圧力を適切に制御し得るが、適正範囲外では、ダンパ制御により焼却炉内圧力を所望の大きさに制御することが困難な場合がある。例えば、上限設定値を超える領域でダンパ開度を調整する場合において、ほとんど開ききったダンパをさらに開くようにしても、焼却炉内圧力はほとんど変化しないことがある。
【００２５】
このように、上記の適正範囲内でのダンパ制御では実現できない圧力制御が要求される場合、他の圧力制御手段として、誘引ファンの回転数を調節して、ダンパ制御では不足する焼却炉内圧力制御を補完することを行うことが考えられる。
【００２６】
図２（ｃ）は、ダンパ制御のみでは困難な圧力制御を実現するために、図２（ｂ）に示したダンパ制御に加えて行う誘引ファンの回転数制御（回転数指令）を示す。図２（ｃ）に示すように、下限設定値を超えるダンパ開度指令が出された場合、回転数を段階的に低下させる指令がインバータを介して誘引ファンに送られる。また、ダンパ制御の上限設定値を超えるダンパ開度指令が出された場合、回転数を段階的に上昇させる指令が誘引ファンに送られる。このようにして、制御性が悪いダンパ開度領域では、ファンの回転数を段階的に増減させることによって、所望の焼却炉内圧力に制御することができる。
【００２７】
しかしながら、上述した比較例の焼却装置９００では、ダンパ制御を主体として焼却炉内圧力の制御を行っているため、インバータによる誘引ファン回転数の制御は、あくまでも補助的にしか行われない。このため、インバータ制御の利点である回転数制御による消費電力削減の効果はわずかにしか見込めない。また、大型炉においてダンパ主体で制御を行うときには、噴射管方式の油量制御機構を備えた比較的高価なダンパを用いる必要があり、コストの増加が免れないという問題がある。
【００２８】
一方で、ダンパ制御を行うことなく、インバータによる誘引ファンの回転数の制御のみで焼却炉内圧力を制御することも考えられる。インバータによって誘引ファンの回転数を制御する方法では、必要に応じた回転数で誘引ファンを回転させればよいので、ダンパ制御で焼却炉内圧力を調整する場合（すなわち誘引ファンの回転数が一定である場合）に比べて、消費電力を削減することができるという利点が得られる。
【００２９】
しかしながら、制動機能を備えないインバータを用いる場合に、インバータ制御のみで焼却炉内圧力を制御しようとすると、焼却炉内圧力が激しく変動したときに対応できないことがある。より具体的には、焼却炉内圧力に変動に応じて所定時間内にファンの回転数を所定の回転数まで急激に低下させることが困難な場合がある。これは、制動機能が設けられていないので減速時にファンの慣性エネルギーを熱に変換することができず、ファン回転数を急激に低下させると過電圧が発生し、この過電圧によってインバータが停止するおそれがあるためである。このようなインバータの停止を防止するためには、所定回転数低下に要する最小減速時間（最大減速率）を予め設定して回転数の低下率を制限することが求められ、したがって、実際には所定以上の減速率で回転数を低下させることができない。
【００３０】
以上を鑑みて、本発明の実施形態の廃棄物焼却装置では、焼却炉内圧力の調整において、インバータ制御によるファン回転数の調整を主体として行うとともに、上記のようにインバータ制御だけでは対応困難な急激な焼却炉内圧力変動が生じたときには、ダンパ制御を補助的に用いて焼却炉内圧力を制御する。このために、本発明の実施形態による焼却装置では、インバータによるファン回転数制御のみで焼却炉内圧力制御に対応できる期間と対応できない期間とを判別し、対応できない期間について補助的にダンパ制御を行うようにしている。これにより、インバータ制御を主体とすることによる消費電力削減の効果を最大限に享受しながら、急激な圧力変動にも対応して焼却炉内圧力を適切に制御することが可能になる。また、ダンパ制御は補助的に行われるので、電磁弁方式などの比較的安価なダンパを用いることが可能であり、また、制動機能を備える必要がないので、コストの削減を図ることができる。
【００３１】
以下、具体的な実施形態について詳細に説明する。
【００３２】
図３は、本発明の実施形態による廃棄物焼却装置（以下、単に焼却装置と呼ぶことがある）１００を示す模式図である。本実施形態の焼却装置１００は、焼却炉１０と、焼却炉の煙道１２の下流側に設けられた誘引ファン２０と、焼却炉１０と誘引ファン２０との間の煙道１２に配置されたダンパ３０とを備えている。なお、本実施形態で用いられるインバータ２２は、回生システムなどの制動機能を備えていない、比較的安価なインバータである。また、インバータ２２は、ＶＶＶＦ制御によって誘引ファン２０を駆動するように構成されている。
【００３３】
誘引ファン２０の下流側は煙突２４に接続されており、焼却炉内のガスを外部に排出できる。なお、図には示していないが、焼却装置１００には、例えば、焼却炉に燃焼空気を供給するための送風機や、ごみクレーン、排ガス処理設備、蒸気タービン発電機などの公知の焼却装置と同様の他の設備が設けられていてもよい。
【００３４】
焼却炉１０としては、種々のタイプの焼却炉を採用することができ、例えばストーカ炉を用いることができる。焼却炉１０で発生した排ガスは、誘引ファン２０が形成する負圧の圧力勾配によって、通常は排ガス処理設備（図示せず）を通って誘引ファン２０に誘引される。
【００３５】
焼却装置１００において、焼却炉１０内部の圧力の制御は、主として、インバータ２２による誘引ファン２０（具体的には誘引ファン２０が有する電動機Ｍ）の回転数制御によって実現される。ただし、誘引ファン２０の回転数制御だけでは実現困難な焼却炉内圧力の制御が要求される期間については、ダンパ３０の開度を調整する処理をダンパ制御器３２を用いて補助的に行う。このために、焼却装置１００には、インバータ２２とダンパ制御器３２とに接続された制御システム４０が設けられている。
【００３６】
図４は、インバータ２２による誘引ファン２０の回転数制御の一態様を例示するグラフであり、破線で示すグラフは、要求されたファン回転数指令を示し、実線で示すグラフは、焼却装置１００における実際のファン回転数指令を示す。
【００３７】
図４からわかるように、回転数を急激に低下させることが求められる期間Ｄｄにおいて、実際の誘引ファンの単位時間当たりの回転数低下率（以下、減速率と呼ぶ）は、要求される減速率を下回る。これは、過電圧の発生によってインバータが停止しないことを補償する最大減速率（グラフにおける最大傾き）を超えないように、インバータの駆動が予め制限されているからである。
【００３８】
このとき、焼却装置１００では、要求される時間内での回転数の低下がインバータ２２による回転数制御だけでは実現困難であると判別され、この場合に、要求される風量または圧力変動に対する不足分を、ダンパ開度に換算してダンパ３０の開度を閉じる制御が行われる。この態様において、ダンパ３０の開度は、要求された回転数指令に基づいて算出された変動量（より具体的には、要求された回転数指令と実際に適用される回転数指令との差Δｎに対応する変動量）で制御される。
【００３９】
ダンパ３０は、例えば、インバータ２２による回転数制御のみで所望の焼却内圧力制御が実現できている期間については最大開度に維持され、上記のように圧力制御の不足が生じたときには、不足分を補うように閉じられる。ダンパ３０としては、コントロールモータ等を用いて連続的に開度制御が行えるように構成された連続制御式のものを用いてもよいし、開閉動作を切り替えて行うように構成された間欠制御式ものを用いてもよい。間欠制御式の場合、開閉動作を途中で停止することにより、所望の開度にダンパを制御することが可能である。以下、上記の動作を行うための具体的な制御システムの構成例を説明する。
【００４０】
図５は、焼却装置１００に設けられた制御システム４０を示す機能ブロック図である。図５に示すように、制御システム４０は、回転数指令生成器５０から回転数指令を受け取る減速率判定回路４２と、減速率判定回路４２の判定結果に基づいて回転数指令を補正する回転数指令補正回路４４と、回転数指令補正回路４４の出力に基づいて元の回転数指令との差分をダンパ開度に換算する差分換算回路４６とを備えている。なお、制御システム４０は、例えば、プログラムが格納されたマイクロコントローラ（ＩＣチップ）などの態様で焼却装置１００に実装されるものであってよく、例えばインバータ２２に内蔵されていてもよい。
【００４１】
回転数指令発生器５０は、例えば、焼却炉内の圧力を示す圧力センサの出力と、ユーザによって予め設定された圧力設定値との差が最小になるような回転数指令を生成するように制御される。回転数指令発生器５０によって生成された回転数指令は、図４に破線で示したように、誘引ファンが許容できる最大減速率を超える指令であり得る。
【００４２】
減速率判定回路４２は、回転数指令発生器５０から回転数指令を受け取り、その回転数指令が、予め設定された最大減速率を超える指令であるか否かを判定する。そして、最大減速率を超えていない場合には、受け取った回転数指令を、回転数決定回路４８を介してインバータ２２へと出力する。
【００４３】
一方で、減速率判定回路４２が、受け取った回転数指令が最大減速率を超えると判断した場合、回転数指令補正回路４４は、減速率判定回路４２からの指示に基づいて回転数指令を補正する。この補正後の回転数指令は、上記の予め設定された最大減速率を超えないように生成され、具体的には、最大減速率を超えるときには最大減速率で回転数を低下させる指令に補正される。このようにして補正された回転数指令は、回転数指令補正回路４４から回転数決定回路４８を介してインバータ２２へと出力され、補正後の回転数指令にしたがって誘引ファンの回転数が制御される。
【００４４】
このように、制御システム４０は、設定された最大減速率を超えない回転数指令をインバータ２２に送るように構成されているので、制動機能を備えていなくてもインバータ２２において許容できない過電圧が発生して動作が停止することは防止される。なお、上記の回転数指令補正回路４４は、インバータ２２と別個に設けられたものでなくてもよく、インバータ２２に内蔵された回路であって、所定の最大減速率を超える回転数指令を受け取った時には設定された所定最大減速率に自動的に補正してインバータ２２を駆動する保護回路であってもよい。また、上記の減速率判定回路４２は、インバータ２２に設けられた保護回路が作動したことを示す信号を出力する回路であってもよい。
【００４５】
制御システム４０において、上記のように減速率判定回路４２が最大減速率を超えると判断されたとき、差分換算回路４６は、回転数指令発生器５０から出力された元の回転数指令と、補正された回転数指令との差分を検出する。この差分は、要求される風量または焼却炉内圧力の変動量と、誘引ファンの回転数制御で最大限実現可能な風量または焼却炉内圧力の変動量との差分（不足分）に対応する。そこで、差分換算回路４６は、上記の検出された差分を、ダンパの開度の変動量へと換算する。
【００４６】
そして、差分換算回路４６は、換算により求められたダンパ開度の変更指令を、ダンパ制御器３２に出力し、ダンパ制御器３２は受け取った変更指令にしたがってダンパ３０の開度を制御する。これによって、誘引ファンの回転数を許容される最大減速率で低下させながら、圧力制御の不足分を補うだけのダンパ開度調整が行われ、焼却炉内圧力を所望の圧力に調整することが可能になる。
【００４７】
なお、図４に示したように、回転数急低下期間Ｄｄを過ぎて、インバータによる誘引ファンの回転数制御のみで焼却炉内圧力を所望の圧力に制御可能な状態に戻ったときには、ダンパの開度を元の予め設定された開度（典型的には最大開度）に徐々に戻していってもよい。つまり、必要な期間だけダンパ開度の再調整を行い、不要な期間にはダンパの開度を予め設定された開度に維持するように動作させてもよい。このような動作も、上記に説明した制御システムにおいて、判定回路の判定結果に基づいて差分換算回路がダンパ制御器に適切な制御指令を出力するようにすれば、容易に実現することができる。
【００４８】
以上に説明したように、本実施形態の廃棄物焼却装置１００は、インバータ駆動による誘引ファンの回転数制御を主体として風量および焼却炉内圧力の制御を行うので、消費電力の削減を図ることができる。また、ダンパ制御は補助的に行われ、その制御頻度は高くない。このため、ダンパ電油操作器の油量制御機構として噴射管方式などの高価な機構を用いることなく、電磁弁方式などの安価な機構を用いたり、あるいは、油圧式以外の安価なダンパを採用することが可能になるので、コストを削減することができる。
【産業上の利用可能性】
【００４９】
本発明の実施形態による廃棄物焼却装置は、焼却炉を備える種々の焼却施設全般においてに好適に用いられる。
【符号の説明】
【００５０】
１０  焼却炉
２０  誘引ファン
２２  インバータ
２４  煙突
３０  ダンパ
３２  ダンパ制御器
４０  制御システム
４２  減速率判定回路
４４  回転数指令補正回路
４６  差分換算回路
４８  回転数決定回路
５０  回転数指令発生器
１００  廃棄物焼却装置
【図１】
2019211135.tif 000003
【図２】
2019211135.tif 000004
【図３】
2019211135.tif 000005
【図４】
2019211135.tif 000006
【図５】
2019211135.tif 000007